(57)【要約】      （修正有）【課題】多種のＩＲ装置を遠隔制御可能なＲＦ遠隔制御装置およびその遠隔制御方法を提供する。【解決手段】ＩＲ遠隔制御をＲＦ遠隔制御にグレードアップした一個の遠隔制御装置を用いて、多種のＩＲ設備を遠隔制御する。遠隔制御装置は、ＲＦ遠隔制御装置とＲＦ−ＩＲ変換機とを備える。ＲＦ遠隔制御装置がプッシュボタン装置と、ＭＣＵ１およびその制御回路と、ＲＦ信号モジュール１とを備え、ＲＦ−ＩＲ変換機がＲＦ信号モジュール２と、ＭＣＵ２およびその制御回路と、ＩＲ発射電気回路と備え、以下のステップで実現する。１）マッチング；２）ＩＲコードデータを予め保存；３）設置；４）操作。複数台の設備を全方向かつ無障害に遠隔制御を行うため、複数台の設備の複数個の遠隔制御装置を、ＲＦ遠隔制御装置とＲＦ−ＩＲ変換機に集約し、操作者によるＲＦ遠隔制御装置の操作により、複数台の設備を全方向かつ無障害に遠隔制御を行うことが実現される。【選択図】図１
2011010256.tif 000002
【特許請求の範囲】
【請求項１】
多種のＩＲ（赤外線）設備を遠隔制御可能なＲＦ遠隔制御装置において、ＲＦ遠隔制御装置とＲＦ−ＩＲ変換機とを備え、前記ＲＦ遠隔制御装置がプッシュボタン装置と、ＭＣＵ１およびその制御回路と、ＲＦ信号モジュール１とを備え、前記ＲＦ−ＩＲ変換機がＲＦ信号モジュール２と、ＭＣＵ２およびその制御回路と、赤外線信号を発射可能なＩＲ発射電気回路と備えており、前記ＲＦ信号モジュール１が前記ＲＦ信号モジュール２に対応し、前記ＩＲ発射電気回路が前記ＩＲ設備に対応していることを特徴とするＲＦ遠隔制御装置。
【請求項２】
請求項１記載のＲＦ遠隔制御装置の遠隔制御方法であって、ステップ１）マッチング：前記ＲＦ遠隔制御装置とＲＦ−ＩＲ変換機とが相互に通信できるように、両者についてマッチングし、ステップ２）ＩＲコードデータの予めの保存：前記ＲＦ−ＩＲ変換機には、前記多種のＩＲ設備のＩＲコードによりも広範なＩＲコードデータベースが予め保存され、３）設置：被制御設備が前記ＲＦ−ＩＲ変換機からのＩＲ信号を受信できるように、該ＲＦ−ＩＲ変換機を被制御ＩＲ設備の付近に設置しておき、４）操作：前期ＲＦ遠隔制御装置のプッシュボタン装置をプッシュして相応の機能を操作し、ＲＦ遠隔制御装置が該プッシュボタンのＲＦ信号をマッチング完了後のＲＦ−ＩＲ変換機に送信し、前記ＲＦ−ＩＲ変換機がＲＦ信号を分析しデコードしたものを、設置された対応設備のＩＲ信号に変換し、かつ前記ＩＲ発射電気回路を通じてＩＲ制御信号を被制御設備に送信し、相応の動作を完成させると共に、前記ＲＦ信号モジュール２が、受信した信号をＲＦ信号モジュール１にフィードバックし、遠隔制御装置が正しい指令を受けたことを通報し、前記ＲＦ遠隔制御装置がフィードバック信号を受信した後、停止信号を送って作業を停止させるとのステップに従って前記ＩＲ設備を遠隔制御することを特徴とする。
【発明の詳細な説明】
【技術分野】
【０００１】
本発明は、ＩＲ（赤外線）遠隔制御をＲＦ遠隔制御にグレードアップした遠隔制御装置、および一個の遠隔制御装置を用いて、多種のＩＲ設備を遠隔制御する「集約化」制御方法に関する。
【背景技術】
【０００２】
家庭用娯楽設備について、ＩＲの応用は長い歴史を持っている。多くのＴＶ、ＤＶＤ、Ａｕｄｉｏシステムの遠隔制御装置はすべて赤外線遠隔制御装置である（ＩＲ ＲＣＵ）。家電設備ごとにＩＲ ＲＣＵがセットされ、該設備に対して制御する必要があるときに、該設備専用のＩＲ ＲＣＵを使用しなければならない。このため、遠隔制御装置の数が多くなり、操作が煩雑になる。異なる家電設備を遠隔制御するには、遠隔制御装置を頻繁に取り替える必要がある。
【０００３】
また、ＩＲ ＲＣＵはコストが低い、使用範囲が広いというメリットを有するが、使用中には問題が少なくない。例えば、１）ＩＲの伝送角度が狭く、受信距離が制限されており、人が思いのままに任意の方向に遠隔制御装置を使用することができない。２）ＩＲが日光の下では強い妨害を受けるため、室外においてＩＲ遠隔制御装置を正常に使用できない。
【発明の概要】
【発明が解決しようとする課題】
【０００４】
本発明は、従来技術の問題点に鑑みて、ＩＲ遠隔制御をＲＦ遠隔制御にグレードアップした遠隔制御装置、且つ一個の遠隔制御装置だけで複数台の設備を遠隔制御可能なＲＦ遠隔制御装置およびその遠隔制御方法を提供する。
【課題を解決するための手段】
【０００５】
本発明のＲＦ遠隔制御装置は、ＲＦ遠隔制御装置とＲＦ−ＩＲ変換機とを備え、該ＲＦ遠隔制御装置がプッシュボタン装置と、ＭＣＵ１およびその制御回路と、ＲＦ信号モジュール１とを備え、前記ＲＦ−ＩＲ変換機がＲＦ信号モジュール２と、ＭＣＵ２およびその制御回路と、赤外線信号を発射可能なＩＲ発射電気回路と備えており、ＲＦ信号モジュール１がＲＦ信号モジュール２に対応し、ＩＲ発射電気回路が前記ＩＲ設備に対応していることを特徴とする。
【０００６】
本発明のＲＦ遠隔制御装置の遠隔制御方法として、次のステップに従ってＩＲ設備に対する遠隔制御の実行を図る。
【０００７】
１）マッチング：ＲＦ遠隔制御装置とＲＦ−ＩＲ変換機とが相互に通信できるように、両者についてマッチングする。
【０００８】
２）ＩＲコードデータを予め保存する：ＲＦ−ＩＲ変換機には、前記多種のＩＲ設備のＩＲコードによりも広範なＩＲコードデータベースが予め保存される。
【０００９】
３）設置：被制御設備がＲＦ−ＩＲ変換機からのＩＲ信号を受信できるように、該ＲＦ−ＩＲ変換機を被制御ＩＲ設備の付近に設置しておく。
【００１０】
４）操作：ＲＦ遠隔制御装置のプッシュボタン装置をプッシュして相応の機能を操作し、ＲＦ遠隔制御装置が、該プッシュボタンのＲＦ信号をマッチング完了後のＲＦ−ＩＲ変換機に送信する。ＲＦ−ＩＲ変換機がＲＦ信号を分析しデコードしたものを、設置された対応設備のＩＲ信号に変換し、かつＩＲ発射電気回路を通じてＩＲ制御信号を被制御設備に送信し、相応の動作を完成させると共に、ＲＦ信号モジュール２が、受信した信号をＲＦ信号モジュール１にフィードバックし、遠隔制御装置が正しい指令を受けたことを通報する。そして、ＲＦ遠隔制御装置がフィードバック信号を受信した後、停止信号を送って作業を停止させる。
【００１１】
本発明は、複数台の設備を全方向かつ無障害に遠隔制御を行うため、複数台の設備の複数個の遠隔制御装置を、ＲＦ遠隔制御装置とＲＦ−ＩＲ変換機に集約した。操作者によるＲＦ遠隔制御装置の操作により、複数台の設備を全方向かつ無障害に遠隔制御を行うことが実現されうる。上記の効果を果たすために、先ず解決すべき課題は、遠隔制御装置が、全ての設備における全ての機能をカバーするＩＲコードを送信できる機能を有することである。次に、使用者の意図に応じて、ＲＦ遠隔制御装置のプッシュボタン操作装置に対する操作により、そのうち１台の設備について選択操作を実現し、そして正確に実行する。本発明は、ＩＲ ＲＣＵをＲＦリンクに切り替えるシステムを通じて、伝統的なＩＲ ＲＣＵによる距離と全方位の表現方式を改善した。ＲＦ信号をＩＲコードに切り替えることによって、現今にＩＲ技術を使用する全ての設備に互換することができる。ＲＦ ＲＣＵを使用する（これによって、全方位のＲＣＵによる優勢を享受する）と同時に、既存のＩＲに基づく設備を、依然として制御することができる。
【図面の簡単な説明】
【００１２】
【図１】本発明の構成のブロック図。
【図２】本発明におけるＲＦ遠隔制御装置の構成のブロック図。
【図３】本発明におけるＲＦ-ＩＲ変換ボックスの構成のブロック図。
【発明を実施するための形態】
【００１３】
図１〜図３に示されているように、本発明の複数台のＩＲ設備を遠隔制御可能なＲＦ遠隔制御装置は、ＲＦ遠隔制御装置とＲＦ−ＩＲ変換機とを備える。該ＲＦ遠隔制御装置がプッシュボタン装置と、ＭＣＵ１およびその制御回路と、ＲＦ信号モジュール１とを備えている。前記ＲＦ−ＩＲ変換機がＲＦ信号モジュール２と、ＭＣＵ２およびその制御回路と、赤外線信号を発射可能なＩＲ発射電気回路と備えている。ＲＦ信号モジュール１はＲＦ信号モジュール２に対応し、ＩＲ発射電気回路は前記ＩＲ設備に対応している。
【００１４】
本発明のＲＦ遠隔制御装置の遠隔制御方法として、次のステップに従ってＩＲ設備に対して遠隔制御を行う。
【００１５】
１）マッチング：ＲＦ遠隔制御装置とＲＦ−ＩＲ変換機とが相互に通信できるように、両者についてマッチングする。
【００１６】
２）ＩＲコードデータを予め保存する：ＲＦ−ＩＲ変換機には、前記多種のＩＲ設備のＩＲコードによりも広範なＩＲコードデータベースが予め保存される。
【００１７】
３）設置：被制御設備がＲＦ−ＩＲ変換機からのＩＲ信号を受信できるように、該ＲＦ−ＩＲ変換機を被制御ＩＲ設備の付近に設置しておく。
【００１８】
４）操作：ＲＦ遠隔制御装置のプッシュボタン装置をプッシュして相応の機能を操作し、ＲＦ遠隔制御装置が該プッシュボタンのＲＦ信号をマッチング完了後のＲＦ−ＩＲ変換機に送信する。ＲＦ−ＩＲ変換機がＲＦ信号を分析、デコードしてから、設置された対応の設備のＩＲ信号に変換し、かつＩＲ発射電気回路を通じてＩＲ制御信号を被制御設備に送信し、相応の動作を完成させる。そして、ＲＦ信号モジュール２が、受信した信号をＲＦ信号モジュール１にフィードバックし、遠隔制御装置が正しい指令を受けたことを通報する。そして、ＲＦ遠隔制御装置がフィードバック信号を受け取った後、停止信号を送って作業を停止させる。
【００１９】
ユーザがＲＦ遠隔制御装置の所定のプッシュボタンを押した後に、１セットのＲＦコマンド情報パケットが送信先に発射される。精確な送信先を有する変換機がコマンド情報パケットを分析することにより、どのプッシュボタンが押されたか認識される。
【００２０】
そして、適切なＩＲコードを検索し（予め特定された設定番号も含まれている）転送する。
【００２１】
これによって、ＩＲコードにより目標設備が制御される。
【００２２】
次のことを留意すべきである。ＲＦ−ＩＲ変換機のバッテリの寿命を考慮すると、変換機ができるだけ省エネルギーであることが好ましい。そこで、第１のプッシュボタンが押された後に220ｍＳの遅行を生じさせて（ＲＦ遠隔制御装置が220ｍＳのヘッドコードを発射する）、ＲＦ−ＩＲ変換機をレジュームさせる。
【００２３】
次の８秒間において、ＲＦ遠隔制御装置が該ヘッドコードを再び送信しない。
【００２４】
ＲＦ−ＩＲ変換機が、200ｍＳの定期的なレジュームで搬送波周波数を検査し、レジュームした後、10秒をキープし最後のデータパケットを受信する。このようにすれば、電流消耗が大いに減少されることになる。
【００２５】
単方向の転送プロトコルの採用により、有効負荷を低減すると共にＭＣＵのハードウェアの複雑さを減少できるが、双方向のＲＦ転送プロトコルを採用すれば、受信ハードウェアに有効に受信されることが確保される。本発明は、双方向のＲＦ転送プロトコルを採用し、プッシュボタンの信号が確実にＲＦ−ＩＲ変換機に受信されることを確保している。
【００２６】
本発明の装置によれば、複数のＲＦ−ＩＲ変換機が、同時に１つの処理を実行する場合に、作業の協調が図れるため、複数のＲＦ−ＩＲ変換機が同時に動作するときのＩＲの抵触の発生が回避される。そうすれば、複数のＲＦ−ＩＲ変換機を使用し、異なる作業環境（一部のＩＲ設備が隠蔽場所に設置され、または分散的に設置されているため、１つの変換機で完全に全てのＩＲ設備に変換機から送信したＩＲ信号を受信させることができない）に設置することで、ＲＦ遠隔制御を有効に使用できる。
【００２７】
遠隔制御装置または変換機のＩＤが唯一性を持つため、情報パケットに含まれた変換機の目標ＩＤが正確であれば、遠隔制御装置が変換機とマッチングを実行しうる。さらに、変換機が元ＩＤを認識することができる。なお、変換機が送信先でないＲＦ情報パケットを無視する。ＲＦ情報パケットのフォーマットは下表の通りである。
【００２８】
2011010256.tif 000003
我々は、遠隔制御装置と変換機との間の通信に、各種異なるＲＦデータパケットを使用する。このシステムにおいて、ＲＣＵが１つのコマンドを変換機に発射し、変換機がそれに応答する。つまり、変換機が通信を引き起こすことはない。
【図１】
2011010256.tif 000004
【図２】
2011010256.tif 000005
【図３】
2011010256.tif 000006